(57)【要約】      （修正有）【課題】一度に複数本のコイルスプリングを保持可能なコイルスプリング保持具と、当該コイルスプリング保持具を備えたコイルスプリング研磨装置を提供する。【解決手段】コイルスプリング保持具１は、保持具本体３と錘４とを備え、保持具本体３は研磨具２の上にセットされる基体６に収容部７が二以上設けられ、収容部７は差し込み空間と出し入れ口７ｂと露出口７ｃを備え、出し入れ口７ｂから差し込み空間にコイルスプリングＳを差し込むとコイルスプリングＳの研磨部である巻き終端部Ｓ２が収容部７の露出口７ｃから露出して研磨具２に接触するようにしてあり、錘４は差し込み空間内に収容されたコイルスプリングＳ内に差し込むことができ、差し込んでセットするとコイルスプリングＳを研磨具２に押しつけることができる重さとしたものである。コイルスプリング研磨装置１０は、研磨具２と支持台１１と前記コイルスプリング保持具１を備えたものである。【選択図】図１
2015231650.tif 000002
【特許請求の範囲】
【請求項１】
コイルスプリングの巻き始端部或いは巻き終端部を研磨具で研磨する際に、コイルスプリングを縦向きにして保持するコイルスプリング保持具において、
保持具本体とコイルスプリングに荷重を付加する錘とを備え、
保持具本体は研磨具の上にセットされる基体に、コイルスプリングを収容可能な収容部が二以上設けられ、
前記収容部はコイルスプリングを縦向きにして差し込み可能な差し込み空間と、差し込み空間にコイルスプリングを出し入れする出し入れ口と、差し込み空間内に縦向きに収容されたコイルスプリングの下端部が露出する露出口を備え、
前記出し入れ口から差し込み空間にコイルスプリングを差し込むとコイルスプリングの研磨部が収容部の露出口から露出して研磨具に接触するようにしてあり、
前記錘は前記差し込み空間内に収容されたコイルスプリング内に差し込むことができ、差し込んでセットするとコイルスプリングを研磨具に押しつけることができる重さである、
ことを特徴とするコイルスプリング保持具。
【請求項２】
請求項１記載のコイルスプリング保持具において、
収容部がパイプ状である、
ことを特徴とするコイルスプリング保持具。
【請求項３】
請求項１又は請求項２記載のコイルスプリング保持具において、
コイルスプリングと錘との間に配置する中継具を備え、
前記中継具は外周面が上端から下端に向けて先細りのテーパであり、下部がコイルスプリング内に差し込み可能な太さであり、上部に錘を連結可能な錘連結部を備えた、
ことを特徴とするコイルスプリング保持具。
【請求項４】
請求項１から請求項３のいずれか１項に記載のコイルスプリング保持具において、
基体の下部に嵌合部が設けられ、当該嵌合部にコイルスプリングの長さに応じて取替可能なアダプタが装着され、
前記アダプタはコイルスプリングが通過可能な広さの通過孔を備え、
前記通過孔は収容部の露出口と連通し、当該露出口から露出したコイルスプリングの下端部が当該通過孔を通過して研磨具に接触する、
ことを特徴とするコイルスプリング保持具。
【請求項５】
研磨具に接触するコイルスプリングの巻き始端部又は巻き終端部を研磨具の回転により研磨するコイルスプリング研磨装置において、
研磨具と支持台とコイルスプリング保持具を備え、
前記支持台は少なくともコイルスプリングが通過可能なサイズの通孔を備え、
前記コイルスプリング保持具は請求項１から請求項４のいずれか１項に記載のコイルスプリング保持具であり、
前記支持台は前記研磨具の上方に研磨具から離して配置され、
前記コイルスプリング保持具は支持台に載置され、
前記コイルスプリング保持具の差し込み空間内にコイルスプリングを差し込んで収容すると、当該コイルスプリングの研磨部が支持台の前記通孔から下方に露出して研磨具に接触して研磨される、
ことを特徴とするコイルスプリング研磨装置。
【請求項６】
請求項５記載のコイルスプリング研磨装置において、
支持台はコイルスプリング保持具を支持できる回転式のセット台を備え、セット台の内側にセット孔を備え、
前記セット孔はセット台に載せたコイルスプリング保持具から下方に露出する二本以上のコイルスプリングの研磨部が露出して研磨具に接触できるサイズであり、
前記研磨具に接触するコイルスプリングの研磨部が、研磨具の回転又は移動により研磨されるようにした、
ことを特徴とするコイルスプリング研磨装置。
【発明の詳細な説明】
【技術分野】
【０００１】
本発明は、コイルスプリングの研磨に際して、当該コイルスプリングを保持可能なコイルスプリング保持具と、当該コイルスプリング保持具を備えたコイルスプリング研磨装置に関する。
【背景技術】
【０００２】
従来、コイルスプリングの切断面に生じるバリを除去する装置として、本件発明者が先に開発した研磨装置（特許文献１）がある。この研磨装置は、研磨具の上方に配置された保持具でコイルスプリングを保持し、そのコイルスプリングに錘の荷重を付加することによって、コイルスプリングを研磨具に押圧できるようにしたものである。錘にはバランスアームが取り付けられ、研磨具の振動がコイルスプリングに伝達されても、バランスをとれるようにしてある。
【先行技術文献】
【特許文献】
【０００３】
【特許文献１】特開２０１３−２１５８５１号公報
【発明の概要】
【発明が解決しようとする課題】
【０００４】
特許文献１の研磨装置によれば、コイルスプリングを手で保持することなく研磨が可能であるため、研磨作業を安全に行うことができるが、コイルスプリングを一本ずつしか研磨できないため、効率について改善の余地があった。
【０００５】
本発明の解決課題は、複数本のコイルスプリングを保持可能なコイルスプリング保持具と、当該コイルスプリング保持具を備えたコイルスプリング研磨装置を提供することにある。
【課題を解決するための手段】
【０００６】
［コイルスプリング保持具］
本発明のコイルスプリング保持具は、コイルスプリングの巻き始端部或いは巻き終端部（コイルスプリングの端部のうち、研磨する側の端部を「研磨部」という。：以下、発明の詳細な説明及び特許請求の範囲において同じ。）を研磨具で研磨する際に、コイルスプリングを縦向き（巻き始端部と巻き終端部の一端を上、他端を下とする向き：以下、発明の詳細な説明及び特許請求の範囲において同じ。）にして保持するコイルスプリング保持具において、保持具本体とコイルスプリングに荷重を付加する錘とを備え、保持具本体は研磨具の上にセットされる基体に、コイルスプリングを収容可能な収容部が二以上設けられ、前記収容部はコイルスプリングを縦向きにして差し込み可能な差し込み空間と、差し込み空間にコイルスプリングを出し入れする出し入れ口と、差し込み空間内に縦向きに収容されたコイルスプリングの下端部が露出（突出を含む：以下、発明の詳細な説明及び特許請求の範囲において同じ。）する露出口を備え、前記出し入れ口から差し込み空間にコイルスプリングを差し込むとコイルスプリングの研磨部が収容部の露出口から露出して研磨具に接触するようにしてあり、前記錘は差し込み空間内に収容されたコイルスプリング内に差し込むことができ、差し込んでセットするとコイルスプリングを研磨具に押しつけることができる重さとしたものである。
【０００７】
前記コイルスプリング保持具において、収容部はパイプ状とすることができる。
【０００８】
前記いずれかのコイルスプリング保持具において、コイルスプリングと錘との間に配置する中継具を備え、中継具の外周面が上端から下端に向けて先細りのテーパであり、下部がコイルスプリング内に差し込み可能な太さであり、上部に錘を連結可能な錘連結部を備えたものとすることもできる。
【０００９】
前記いずれかのコイルスプリング保持具において、基体の下部に嵌合部が設けられ、当該嵌合部にコイルスプリングの長さに応じて取替可能なアダプタが装着され、当該アダプタはコイルスプリングが通過可能な広さの通過孔を備え、当該通過孔は収容部の露出口と連通し、当該露出口から露出したコイルスプリングの下端部が当該通過孔を通過して研磨具に接触するようにしてもよい。
【００１０】
［コイルスプリング研磨装置］
本発明のコイルスプリング研磨装置は、研磨具に接触するコイルスプリングの巻き始端部又は巻き終端部を研磨具の回転により研磨するコイルスプリング研磨装置において、研磨具と支持台とコイルスプリング保持具を備え、前記支持台は少なくともコイルスプリングが通過可能なサイズの通孔を備え、前記コイルスプリング保持具は前記いずれかのコイルスプリング保持具であり、前記支持台は前記研磨具の上方に研磨具から離して配置され、前記コイルスプリング保持具は支持台に載置され、前記コイルスプリング保持具の差し込み空間内にコイルスプリングを差し込んで収容すると、当該コイルスプリングの研磨部が支持台の前記通孔から下方に露出して研磨具に接触して研磨されるようにしたものである。
【００１１】
前記コイルスプリング研磨装置において、支持台はコイルスプリング保持具を支持できる回転式のセット台を備え、セット台の内側にセット孔を備え、前記セット孔はセット台に載せたコイルスプリング保持具から下方に露出する二本以上のコイルスプリングの研磨部が露出して研磨具に接触できるサイズであり、前記研磨具に接触するコイルスプリングの研磨部が、研磨具の回転又は移動により研磨されるようにしたものである。
【発明の効果】
【００１２】
本発明のコイルスプリング保持具は次の効果を奏する。
（１）コイルスプリングを収容可能な収容部を二以上備えているため、一度に二以上のコイルスプリングを保持して、研磨具に接触させることができる。
（２）コイルスプリング保持具でコイルスプリングを保持することができるため、作業者がコイルスプリングを手で保持する必要がなく、研磨時の作業者の負担や危険が少ない。
（３）錘の荷重をコイルスプリングに付加してコイルスプリングを研磨具に向けて押圧できるため、コイルスプリングが安定しやすく、コイルスプリングが確実に保持される。
（４）基体にコイルスプリングの長さに応じて取替可能なアダプタが装着された場合、コイルスプリングの寸法にかかわらず、コイルスプリングの研磨部を確実に露出させて研磨具に接触させることができる。
【００１３】
本発明のコイルスプリング研磨装置は次の効果を奏する。
（１）コイルスプリング保持具として本発明のコイルスプリング保持具を用いているので、本発明のコイルスプリング保持具が奏する前記効果を奏する。
（２）支持台に回転式のセット台を設けた場合、コイルスプリングを保持するコイルスプリング保持具を回転させながら研磨することができるため、コイルスプリングの研磨部を均等に研磨することができる。
【図面の簡単な説明】
【００１４】
【図１】本発明のコイルスプリング保持具及びコイルスプリング研磨装置の一例を示す分解斜視図。
【図２】図１に示すコイルスプリング保持具及びコイルスプリング研磨装置の組立斜視図。
【図３】図２に示すコイルスプリング保持具及びコイルスプリング研磨装置の断面図。
【発明を実施するための形態】
【００１５】
（コイルスプリング保持具の実施形態）
本発明のコイルスプリング保持具１は、コイルスプリングＳの巻き始端部Ｓ１或いは巻き終端部Ｓ２を研磨具２で研磨する際に、コイルスプリングＳを縦向きにして保持するものである。一例として図１〜３に示すコイルスプリング保持具１は、保持具本体３と、コイルスプリングＳに荷重を付加する錘４と、コイルスプリングＳと錘４との間に配置された中継具５を備えたものである。
【００１６】
前記保持具本体３は基体６と収容部７を備えている。基体６は肉厚の円盤状であり、肉厚方向に貫通した四つの装着孔６ａのそれぞれに収容部７の下端側が差し込まれ、抜け落ちないように固定されている。この実施形態では収容部７の下端側のみを装着孔６ａに差し込んであるが、収容部７の全体を装着孔６ａ内に差し込んで固定することもできる。また、装着孔６ａに差し込む収容部７は複数本であれば、四本以上であっても四本以下であってもよい。
【００１７】
一例として図１〜３に示す収容部７は丸パイプであり、コイルスプリングＳを縦向きにして差し込み可能な差し込み空間７ａと、差し込み空間７ａにコイルスプリングＳを出し入れする出し入れ口７ｂと、差し込み空間７ａ内に縦向きに収容されたコイルスプリングＳの研磨部が露出する露出口７ｃを備えている。前記出し入れ口７ｂから差し込み空間７ａ内にコイルスプリングＳを差し込むと、コイルスプリングＳの研磨部が収容部７の露出口７ｃから露出して研磨具２に接触するようにしてある。
【００１８】
基体６の一端側（図中下側の端部）には他の部分よりも一段内側に窪んだ嵌合部６ｂ（図３）が形成され、その嵌合部６ｂにコイルスプリングＳの長さに応じて取替可能なアダプタ８が装着されている。基体６とアダプタ８は六角ボルト等の各種留め具９によって固定することができる。
【００１９】
基体６に取替可能に取り付けられたアダプタ８は、基体６と同程度の径の円筒状であり、一端側（図１中上側の端部）に基体６の嵌合部６ｂに嵌合可能な嵌合受け部８ａが、他端側（図１中下側の端部）に他の部分よりも一段内側に窪んだはめ込み部８ｂが設けられている。アダプタ８は上下に貫通する四つの通過孔８ｃを備え、収容部７の露出口７ｃから露出したコイルスプリングＳの研磨部が下側の開口部８ｄからアダプタ８の外側に露出して研磨具２に接触するようにしてある。アダプタ８は各種寸法のものを数種類用意しておくのが好ましい。アダプタ８は必要に応じて設ければよく、不要な場合には設けなくてよい。
【００２０】
一例として図１〜３に示す錘４は細長の丸棒であり、上端に持ち手部４ａが、下端に中継具５との連結に用いる連結軸４ｂが突設されている。錘４は連結軸４ｂを中継具５の錘連結部５ａにねじ込むことによって中継具５と連結することができる。錘４は研磨するコイルスプリングＳの長さや太さ、形状等に応じて変更できるよう、数種類用意しておくのが好ましい。錘４は差し込み空間７ａ（図３）内に収容されたコイルスプリングＳに荷重を付加するものであり、コイルスプリングＳを研磨具２に押しつけられる程度の重さとしてある。錘４の太さは差し込み空間７ａに収まる広さとしてある。
【００２１】
コイルスプリングＳと錘４との間に配置された中継具５は、その外周面が上端から下端に向けて先細りのテーパであり、下部がコイルスプリングＳ内に差し込み可能な太さとしてある。中継具５をコイルスプリングＳ内に一定寸法分差し込むと、それ以上は差し込まれず、コイルスプリングＳの上方が中継具５によってホールドされるようにしてある。中継具５の上部には錘連結部５ａが設けられ、その錘連結部５ａに錘４の連結軸４ｂが螺合されて錘４が中継具５の上方に固定されている。
【００２２】
この実施形態では、錘４とコイルスプリングＳの間に中継具５を介在させているが、中継具５は省略することもできる。この場合、錘４の下端側を図１〜３に示す中継具５のような下側に向けて先細りのテーパとし、当該下端部をコイルスプリングＳ内に差し込んでコイルスプリングＳをホールドできるようにするのが好ましい。
【００２３】
（コイルスプリング保持具のその他の実施形態）
前記実施形態では、収容部７が細長のパイプ材である場合を一例としているが、収容部７の形状はこれ以外であってもよく、例えば、基体６を図１〜３に示すよりも縦長の円柱状とし、その基体６に縦孔（図示しない。以下、この孔を「収容孔」という）を貫通させ、その収容孔を収容部７とすることができる。収容孔の径は、前記実施形態の収容部７の差し込み空間７ａと同様、少なくともコイルスプリングＳが通過可能な広さとする。好ましくは、コイルスプリングＳに荷重をかける錘４と、錘４とコイルスプリングＳの間に配置される中継具５の双方又はいずれか一方が収まる広さとする。基体６に収容孔をあけて収容部７とする場合、基体６を縦長にして、コイルスプリングＳの全長が当該収容孔内に収まるようにするのが望ましい。
【００２４】
（コイルスプリング研磨装置の実施形態）
本発明のコイルスプリング研磨装置１０の一例を、図面を参照して説明する。この実施形態は、研磨するコイルスプリングＳをコイルスプリング保持具１で保持し、当該コイルスプリングＳを研磨具２に押圧することによって当該コイルスプリングＳの研磨部を研磨する場合の例である。
【００２５】
一例として図１〜３に示すコイルスプリング研磨装置１０は、研磨具２に接触するコイルスプリングＳを研磨具２の回転により研磨するものであって、研磨具２と支持台１１とコイルスプリング保持具１を備えている。支持台１１は研磨具２の上方側に研磨具２と離して配置され、その支持台１１上にコイルスプリング保持具１が配置されている。コイルスプリング保持具１には、前記実施形態で説明したコイルスプリング保持具１を用いているため、ここでは説明を省略する。
【００２６】
研磨具２は、図３に示すように、二つの回転ローラ２ａの外周に研磨ベルト２ｂが巻き付けられたもの（ベルト式研磨具）であり、一方の回転ローラ２ａに取り付けられたモータＭによって回転するものである。研磨具２は横向きに配置され、その上面（研磨面）にコイルスプリングＳの研磨部を押し当てることで、研磨部を研磨することができる。研磨具２には、水平回転する円盤状のものなど、ベルト式研磨具以外のものを用いることもできる。
【００２７】
前記支持台１１は、肉厚方向に貫通する通孔１１ａ（図１）を備えた平板であり、その表面に通孔１１ａと連通するセット孔１２ａ（図１）を備えたセット台１２が設けられている。セット台１２のセット孔１２ａにアダプタ８のはめ込み部８ｂや基体６の嵌合部６ｂをセットすることによって、コイルスプリング保持具１をセット台１２の上に載置できるようにしてある。コイルスプリング保持具１の差し込み空間７ａ内にコイルスプリングＳを収容すると当該コイルスプリングＳの研磨部が支持台１１の通孔１１ａよりも外側に露出して研磨具２に接触するようにしてある。
【００２８】
一例として図１〜３に示すセット台１２は内輪１２ｘと外輪１２ｙと転動体１２ｚを備えたベアリングであり（図３）、内輪１２ｘ上に載置されるコイルスプリング保持具１を当該内輪１２ｘの回転に伴って研磨具２の研磨面と平行又は略平行に回転させられるようにしてある。コイルスプリング保持具１を回転可能とすることで、研磨部の一部のみを研磨するのではなく、研磨部の全体を均等に研磨することができる。また、コイルスプリング保持具１を回転可能とすることで、研磨具２の一部のみが摩耗するのを防止することもできる。
【００２９】
（コイルスプリング研磨装置の使用例）
本発明のコイルスプリング研磨装置１０の使用例について説明する。この使用例は、コイルスプリング保持具１として、図１〜３に示すコイルスプリング保持具１を用いる場合の例である。
（１）支持台１１のセット部１２上にセットされたコイルスプリング保持具１の差し込み空間７ａに、研磨するコイルスプリングＳを縦向きに収容する。
（２）差し込み空間７ａ内に収容されたコイルスプリングＳは、その研磨部が収容部７の下端の露出口７ｃ、アダプタ８の下端の開口部８ｄ、セット台１２のセット孔１２ａ及び支持台１１の通孔１１ｃを通って、研磨具２の研磨ベルト２ｂに接触する。
（３）コイルスプリングＳ内に錘４を連結した中継具５の先端側を差し込み、錘４の荷重を研磨するコイルスプリングＳに付加してコイルスプリングＳを研磨具２に押圧する。中継具５はコイルスプリングＳを差し込み空間７ａに収容する前にコイルスプリングＳに差し込んでおくこともできる。
（４）研磨具２の研磨ベルト２ｂに押圧されたコイルスプリングＳの研磨部は、当該研磨ベルト２ｂの回転によって研磨される。
【００３０】
（コイルスプリング研磨装置のその他の使用例）
前記使用例では、錘４に中継具５を連結した場合を一例としているが、中継具５を用いない場合は、錘４を下側に向けて先細りのテーパとし、その先端側をコイルスプリングＳに差し込んで錘４の荷重をコイルスプリングＳに付加すればよい。また、前記使用例では、基体６にアダプタ８を連結した場合を一例としているが、アダプタ８を用いない場合は、基体６の嵌合部６ｂをセット台１２のセット孔１２ａにセットすればよい。
【産業上の利用可能性】
【００３１】
本発明のコイルスプリング保持具１及びコイルスプリング研磨装置１０は、コイルスプリングＳの他、丸棒や角棒等の棒材、丸パイプや角パイプなどのパイプ材といった各種ワークの保持及び研磨に用いることができる。
【符号の説明】
【００３２】
１      コイルスプリング保持具
２      研磨具
２ａ    回転ローラ
２ｂ    研磨ベルト
３      保持具本体
４      錘
４ａ    持ち手部
４ｂ    連結軸
５      中継具
５ａ    錘連結部
６      基体
６ａ    装着孔
６ｂ    嵌合部
７      収容部（パイプ材、収容孔）
７ａ    差し込み空間
７ｂ    出し入れ口
７ｃ    露出口
８      アダプタ
８ａ    嵌合受け部
８ｂ    はめ込み部
８ｃ    通過孔
８ｄ    開口部
９      留め具
１０    コイルスプリング研磨装置
１１    支持台
１１ａ  通孔
１２    セット台
１２ａ  セット孔
１２ｘ  内輪
１２ｙ  外輪
１２ｚ  転動体
Ｍ      モータ
Ｓ      コイルスプリング
Ｓ１    巻き始端部
Ｓ２    巻き終端部
【図１】
2015231650.tif 000003
【図２】
2015231650.tif 000004
【図３】
2015231650.tif 000005